(57)【要約】  本発明は差込みプラグと対応差込みエレメントとから成る再解除可能で電気的な差込み接続装置に関する。この場合、対応差込みエレメントは、接触エレメント、特にプリント基板、基板又はこれと類似のものを有していて、該接触エレメントは少なくとも１つの接触領域を有している。該接触領域は差込みエレメントと少なくとも部分的に接続可能である。  本発明によれば、差込みプラグ（１２）は少なくとも１つの締付けエレメント（４）を有している。該締付けエレメント（４）は、差込みエレメント（６）の少なくとも一部分を、該差込みエレメント（６）の接触位置で取り囲んでいて、前記締付けエレメント（４）は電気的な差込み接触を形成するために、差込みエレメント（６）の少なくとも一部分を接触領域（７）に対して押圧する。
2007522627.tif 000002
【特許請求の範囲】
【請求項１】
差込みプラグと対応差込みエレメントとから成っている、再解除可能で電気的な差込み接続装置であって、対応差込みエレメントが、接触エレメント、特にプリント基板、基板又はこれと類似のものを有していて、該接触エレメントが少なくとも１つの接触領域を有しており、該接触領域が少なくとも部分的に差込みプラグと接続可能である形式のものにおいて、
差込みプラグ（１２）が、少なくとも１つの締付けエレメント（４）を有していて、該締付けエレメント（４）が、差込みエレメント（６）の少なくとも一部分を、該差込みエレメント（６）の接触位置で取り囲み、該締付けエレメント（４）が、電気的な差込み接続を形成するために、差込みエレメント（６）の少なくとも一部分を接触領域（７）に対して押圧することを特徴とする、差込み接続装置。
【請求項２】
締付けエレメント（４）が、コネクタ（１２）内で摺動可能に支承されていて、該コネクタ（１２）の接触位置で係止する、請求項１記載の差込み接続装置。
【請求項３】
締付けエレメント（４）が、差込みエレメント（６）を、その接触位置で位置固定する領域を有している、請求項１記載の差込み接続装置。
【請求項４】
締付けエレメント（４）が、差込みエレメント（６）を係止する係止手段を有している、請求項３記載の差込み接続装置。
【請求項５】
締付けエレメント（４）は、差込みエレメント（６）が接触エレメント（３）の少なくとも一方の側で、該接触エレメント（３）の長手方向延在部において、少なくとも部分的に接触領域（７）で位置固定されているように、設計されている、請求項１から４までのいずれか１項記載の差込み接続装置。
【請求項６】
差込みエレメント（６）と接触支持体（１１）と締付けエレメント（４）とから成る差込みプラグ（１２）を接続することによって、差込みエレメント（６）が、接触エレメント（３）の接触領域（７）に押圧されるようになっている、請求項１から５までのいずれか１項記載の差込み接続装置。
【請求項７】
差込みエレメント（６）が、該差込みエレメント（６）の種々異なる直径を補償するために、少なくとも接触領域（７）に１つのスリーブ（８）を備えている、請求項１から６までのいずれか１項記載の差込み接続装置。
【請求項８】
スリーブ（８）が、その外周面（９）に少なくとも１つの接触点を有していて、該接触点はスリーブ（８）の直径から離間されていて、かつ接触エレメント（３）の接触領域（７）に接触している、請求項７記載の差込み接続装置。
【請求項９】
スリーブ（８）が、ケーブルの端部に直接に被装可能である、請求項７記載の差込み接続装置。
【発明の詳細な説明】
【技術分野】
【０００１】
本発明は、差込みプラグと対応差込みエレメントとから成る再解除可能で電気的な差込み接続装置に関する。この場合、対応差込みエレメントはプリント基板を有していて、このプリント基板は少なくとも１つの接触領域を有している。この接触領域はと少なくとも差込みプラグと部分的に接続可能である。
【０００２】
背景技術
差込み接続装置は多様な構成のものが知られている。通常、差込み接続装置は、再解除可能で電気的な差込み接続を行うために、例えば差込みプラグといった差込みエレメントから成っている。この差込みプラグは、例えばソケット（Buchse）といった対応差込みエレメント内に進入可能である。両方の差込みエレメントはケーブルに接続されている。差込みエレメントの外径が、対応差込みエレメントのソケットの内径と少なくとも部分的に接触し、こうして、電気的な接触がもたらされる。
【０００３】
対応差込みエレメントの別の構成は、プリント基板を有していて、このプリント基板には切換素子が配置されている。さらに、プリント基板は接触領域を有してもいて、この接触領域内に差込みエレメントが進入可能である。対応差込みエレメントは、通常、ソケットのことであり、このソケットはプリント基板に直接に配置されている。
【０００４】
背景技術の欠点
先行技術の前記構成の欠点は、先行技術の構成は、特にフレッティング腐食に耐える信頼性のある電気的な接続装置ではないということである。接触部間の微細動作、および不都合な解除を防ぐために必要不可欠な高い差込み力によって、特に多極的な差込み接続装置に一種の腐食が生じ、この腐食は電気的な差込み接続装置の品質に不都合に作用する。さらに、例えば電気伝達または挿抜サイクル（Steckzyklen）または振動（Schuetteln）等の技術的に高い要求を満す、接触のための技術的に手間とコストとのかかる手段しか知られていない。
【０００５】
本発明の課題
本発明の課題は、信頼性のある再解除可能でかつ電気的な差込み接続装置を提供することである。この場合、差込みエレメントが、対応差込みエレメントと接触可能であり、対応差込みエレメントは、例えば基板、プリント基板又はこれと類似の構成をした接触エレメントを有している。
【０００６】
課題の解決
この課題は、請求項１の特徴部に記載した構成によって解決される。
【０００７】
発明の利点
本発明の複数の利点のうちの１つは、本発明により提案された接続技術は極めて場所をとらないように構成されていて、従って、差込みエレメントのケーシング内には十分なスペースが提供されている、という点にある。さらに、接続は確実に形成可能であるので、差込みエレメントと対応差込みエレメントとを１つにするあらゆる形式において、電気的な差込み接続は保証されている。
【０００８】
さらに、本発明によれば、電気的な接続が直接に形成可能であるので、電気的な差込み接続装置には、一般的なピンもしくはブレード形端子（Messerleisten）はもはや必要ではないという利点が得られた。これによって、ピンもしくはブレード形端子を省くことができる。さらに、このような構成の電気的な差込み接続装置は、解除可能でかつ電気的な差込み接続は実現され得るが、そのために必要な取付けスペースは著しく制限されているセンサ、弁またはこれと類似の構成要素において極めて簡単に使用することができる。
【０００９】
その他の有利な実施態様は、以下の説明および請求項に記載されている。
【００１０】
図面
図１は、部分的に図示されている差込みプラグを備えた、本発明による対応差込みエレメントの斜視図、
図２は、差込みエレメントの１実施例の斜視図である。
【００１１】
実施例の説明
図１には、対応差込みエレメント１が断面図で示されている。この対応差込みエレメント１は、ケーシング２と、このケーシング２内に支承されている接触エレメント３とから成っていて、この場合、本実施例において、接触エレメント３はプリント基板から成っている。差込みプラグ１２は、１つの接触支持体１１と、複数の差込みエレメント６と、複数の締付けエレメント４とから成っていて、前記締付けエレメント４はこれらの差込みエレメント６の両方の側に配置されている。接触支持体１１は付加的な開口部５を有していて、この開口部５を通して差込みエレメント６が進入可能である。差込みプラグ１２は、図面に示されている差込みエレメント６を多数有していてよい（多極コネクタ）。
【００１２】
差込みエレメント６は、図１に示されているような接触位置で、つまり接触エレメント３の接触領域７で終わっている。差込みエレメント６の端部は接触エレメント３の両方の側で、この接触エレメント３の長手方向延在部に当接し、このようにして、差込みエレメント６と対応差込みエレメント１の接触エレメント３との間の電気的な接続を形成する。
【００１３】
差込みエレメント６を接触エレメント３に位置固定するために、接触支持体１１の締付けエレメント４が設けられている。締付けエレメント４は、図１に示された実施例では、差込みエレメント６の端部を少なくとも部分的に取り囲み、差込みエレメント６を接触エレメント３の接触領域７に対して押圧している。
【００１４】
締付けエレメント４の締付け作用は、種々異なる形式で形成することができる：
１つの可能性としては、締付けエレメント４が摺動可能に支承されているエレメントとして構成されている場合、この締付けエレメント４は、接触支持体１１の接合によって、または図面には詳細に示されていない調節エレメントによって、差込みエレメント６を固定するように作用する。
【００１５】
別の可能性としては、締付けエレメント４が係止エレメントを有していて、この係止エレメントにおいて差込みエレメント６をその（図示の）接触位置で係止するように作用する。
【００１６】
接触エレメント３と差込みエレメント６との間の最適な接触を得るために、図２に示されているように、スリーブ８を備えた差込みエレメント６が使用される。このスリーブ８は、差込みエレメント６の接触領域にわたって被せられる導電性の材料から成る。スリーブ８の外周面９には複数の隆起部１０が設けられていて、これらの隆起部１０は、接触エレメント３との規定された接触点を接触領域７に形成する。択一的に、スリーブ８は、少なくとも部分的に絶縁材を取り除いたケーブルの端部にわたって位置固定可能でもあるので、簡単な形式で差込みエレメント６が得られる。これによって、ブレード（Messer）およびピンを省くことができ、かつブレードもしくはピンとケーブル端部とのコストのかかる接触方法を回避できるようになる。
【図面の簡単な説明】
【００１７】
【図１】部分的に示されている差込みプラグを備えた、本発明による対応差込みエレメントの斜視図である。
【図２】差込みエレメントの１実施例の斜視図である。
【図１】
2007522627.tif 000003
【図２】
2007522627.tif 000004
【国際調査報告】
2007522627.tif 000005
2007522627.tif 000006
2007522627.tif 000007
2007522627.tif 000008